(57)【要約】【目的】機器の初期設定に続いて自動的にその機器に対して所定の作業を行うことにより、ネットワーク管理者の手間を省くことができる情報処理装置を提供すること。【構成】ネットワーク上のデバイスのサービスの設定を自動的に行う情報処理装置を、前記デバイスの初期設定が終了した旨の通知を受信する手段と、前記通知を受けて前記デバイスを使用可能なユーザの情報を取得する手段と、前記情報を前記デバイスに設定する手段と、前記通知を受けて前記デバイスの提供するサービスに必要なリソースを取得する手段と、前記リソースを前記デバイスにダウンロードする手段を含んで構成する。【選択図】　　　図１
2004070401.tif 000002
【特許請求の範囲】
【請求項１】
ネットワーク上のデバイスのサービスの設定を自動的に行う情報処理装置であって、
前記デバイスの初期設定が終了した旨の通知を受信する手段と、前記通知を受けて前記デバイスを使用可能なユーザの情報を取得する手段と、前記情報を前記デバイスに設定する手段と、前記通知を受けて前記デバイスの提供するサービスに必要なリソースを取得する手段と、前記リソースを前記デバイスにダウンロードする手段を有することを特徴とする情報処理装置。
【請求項２】
前記情報として、ユーザに割り当てられたＩＤ、パスワードを含むことを特徴とする請求項１記載の情報処理装置。
【請求項３】
ネットワーク上のデバイスのサービスの設定を自動的に行う情報処理方法であって、
前記デバイスの初期設定が終了した旨の通知を受信するステップと、前記通知を受けて前記デバイスを使用可能なユーザの情報を取得するステップと、前記情報を前記デバイスに設定するステップと、前記通知を受けて前記デバイスの提供するサービスに必要なリソースを取得するステップと、前記リソースを前記デバイスにダウンロードするステップを有することを特徴とする情報処理方法。
【請求項４】
前記情報として、ユーザに割り当てられたＩＤ、パスワードを含むことを特徴とする請求項３記載の情報処理方法。
【請求項５】
ネットワーク上のデバイスのサービスの設定を自動的に行う情報処理方法であって、
前記デバイスの初期設定が終了した旨の通知を受信するステップと、前記通知を受けて前記デバイスを使用可能なユーザの情報を取得するステップと、前記情報を前記デバイスに設定するステップと、前記通知を受けて前記デバイスの提供するサービスに必要なリソースを取得するステップと、前記リソースを前記デバイスにダウンロードするステップとを実行させるためのプログラムを記録したコンピュータが読み取り可能な記憶媒体
【請求項６】
前記情報として、ユーザに割り当てられたＩＤ、パスワードを含むことを特徴とする請求項５記載の記憶媒体。
【発明の詳細な説明】
【０００１】
【発明の属する技術分野】
本発明は、コンピュータネットワークに関し、具体的には、ネットワークに接続されるデバイスの動的な設定方法に関する。
【０００２】
【従来の技術】
ネットワークに接続される機器には、その機器を使用できるユーザを登録することが多くなっている。又、その機器の提供するサービスの種類を決めるリソースをダウンロードしておく必要がある。例えば、プリンタではフォント等が必要である。
【０００３】
【発明が解決しようとする課題】
上記ようなネットワークに接続される機器を導入するに当たり、上記ユーザの登録、リソースのダウンロードは１台ずつマニュアルで行われていた。
【０００４】
本発明は上記事情に鑑みてなされたもので、その目的とする処は、機器の初期設定に続いて自動的にその機器に対して所定の作業を行うことにより、ネットワーク管理者の手間を省くことができる情報処理装置、情報処理方法及び記憶媒体を提供することにある。
【０００５】
【課題を解決するための手段】
上記目的を達成するため、本発明は、デバイスの初期設定が終了した旨の通知を受信するステップと、前記通知を受けて前記デバイスを使用可能なユーザの情報を取得するステップと、前記情報を前記デバイスに設定するステップと、前記通知を受けて前記デバイスの提供するサービスに必要なリソースを取得するステップと、前期リソースを前記デバイスにダウンロードするステップを有することにより上記課題を解決している。
【０００６】
【発明の実施の形態】
以下に本発明の実施の形態を添付図面に基づいて説明する。
＜＜ＬＡＮの構成＞＞
ネットワーク設定ソフトウェアが管理するデバイスが接続されているＬＡＮについて、以下で説明する。
【０００７】
図１は本実施の形態のネットワークボードをプリンタに接続した構成を示す概略図である。
【０００８】
１０１はネットワークボードで、ローカルエリアネットワーク（ＬＡＮ）１００に接続されるネットワークデバイスである。
【０００９】
ＬＡＮへの接続はＲＦ−４５を持つ１０Ｂａｓｅ−Ｔ等のインターフェースを介して接続されている。パーソナルコンピュータ（ＰＣ）１０３も又ＬＡＮ１００に接続されており、ＰＣ１０３はＬＡＮ１００を介してネットワークボード１０１と通信することが可能である。
【００１０】
＜＜ＰＣの構成＞＞
図２はネットワーク設定ソフトウェアが稼動可能なＰＣの構成を示すブロック図である。
【００１１】
図２において、１０３はネットワーク設定ソフトウェアが稼動するＰＣであり、図１におけるＰＣ１０３と同等である。ＰＣ１０３は、ＲＯＭ３０２若しくはハードディスク（ＨＤ）３１１に記憶された、或はＣＤ−ＲＯＭ３１２等の記憶媒体より供給されるネットワーク設定プログラムを実行するＣＰＵ３０１を備え、システムバス３０４に接続される各デバイスを総括的に制御する。
【００１２】
３０３はＲＡＭで、ＣＰＵ３０１の主メモリ、ワークエリア等として機能する。３０５はキーボードコントローラ（ＫＢＣ）で、キーボード（ＫＢ）３０９や不図示のポインティングデバイス等からの指示入力を制御する。３０６はＣＲＴコントローラ（ＣＲＴＣ）で、ＣＲＴディスプレイ（ＣＲＴ）３０９の表示を制御する。３０７はディスクコントローラ（ＤＫＣ）で、ブートプログラム、種々のアプリケーション、編集ファイル、ユーザファイル及びネットワーク設定プログラム等を記憶するハードディスク（ＨＤ）３１１及びＣＤ−ＲＯＭ３１２とのアクセスを制御する。３０８はネットワークボードで、ＬＡＮ１００を介してエージェント或はネットワーク機器と双方向にデータをやり取りする。
【００１３】
＜＜設定シーケンス＞＞
図３は本発明に係るネットワークに接続されたデバイスに使用可能なユーザの登録及びリソースのダウンロードを行うことをプリンタに適用した場合のフローチャートである。
【００１４】
Ｓ１００１において、先ず、プリントサーバ上でプリンタ設定サービスプログラムを起動しておく。このプログラムは常駐プログラムであり、Ｓ１００２においてユーザによりプリントキューを追加する操作が行われ、この操作が終了したことを知らせるイベント発信されるの受信すべく待機している。
【００１５】
Ｓ１００２でイベントを受信すると、Ｓ１００３において追加されたプリントキューに対応するプリンタを使用できるユーザのリストを取得する。このリストは、プリンタを使用するために各ユーザに割り当てられたＩＤ、パスワードを含む。
【００１６】
Ｓ１００４では、取得したリストを適当なフォーマットに変換してデバイスに送信、設定する。
【００１７】
Ｓ１００２でイベントを受信すると、一方、Ｓ１００５では、プリンタの機種等の情報を取得し、Ｓ１００６においてこの情報をプリンタに対して適当なリソースを、インターネット上のサーバ若しくは既に同じリソースがインストールされているプリンタから取得する。
【００１８】
Ｓ１００７では、取得したリソースをプリンタにダウンロードする。
【００１９】
【発明の効果】
以上説明したように、本発明によれば、ネットワークに設定対象デバイスが設置されたことを示す情報を設定を行うプログラムが受信することをトリガーとして、ユーザ情報の設定、リソースのダウンロードといったデバイスに対する追加設定を自動的に行うことより、ネットワーク管理者のデバイスの設定の手間を省くことができるという効果が得られる。
【図面の簡単な説明】
【図１】ネットワークボードをプリンタに接続した構成を示す概略図である。
【図２】ネットワーク設定ソフトウェアが稼動可能なＰＣの構成図である。
【図３】本発明の一実施の形態に係るＩＰアドレスのネットワーク部を比較することにより設定が必要なネットワークボードのみをデバイスリストに表示する方法に関するフローチャートである。
【符号の説明】
１００　　　　ローカルエリアネットワーク（　ＬＡＮ）
１０１　　　ネットワークボード（　ＮＢ）
１０２　　　開放型アーキテクチャを持つプリンター
１０３　　　ＬＡＮに接続されているパーソナルコンピュータ（ＰＣ）
３０１　　　　ＣＰＵ
３０２　　　ＲＯＭ
３０３　　　　ＲＡＭ
３０４　　　システムバス
３０５　　　　キーボードコントローラ（ＫＢＣ）
３０６　　　　ＣＲＴコントローラ（ＣＲＴＣ）
３０７　　　　ディスクコントローラ（ＤＫＣ）
３０８　　　　ネットワークボード
３０９　　　　キーボード（ＫＢ）
３１０　　　　ＣＲＴディスプレイ（ＣＲＴ）
３１１　　　　ハードディスク（ＨＤ）
３１２　　　　ＣＤ−ＲＯＭ
【図１】
2004070401.tif 000003
【図２】
2004070401.tif 000004
【図３】
2004070401.tif 000005